(57)【特許請求の範囲】
【請求項１】
レーザ光を光記録媒体の記録面に集光投射させる対物レンズと、前記対物レンズを接着して前記光記録媒体に対しフォーカス方向及びトラッキング方向に移動可能な対物レンズ保持筒と、前記対物レンズ保持筒を２方向に駆動するフォーカスコイル及びトラッキングコイルを有するアクチュエータとを備える光ピックアップの調整方法であって、前記光記録媒体に対する前記対物レンズの光軸を調整するスキュー調整機構を前記光ピックアップとは別体に形成し、当該スキュー調整機構が光ピックアップを固定支持する固定手段を備え、当該固定手段で光ピックアップを固定支持した状態でスキュー調整機構が対物レンズの光軸を調整し、当該光軸の調整後に固定手段による光ピックアップの固定支持を解除して光ピックアップから前記固定手段を離脱させることを特徴とする光ピックアップの調整方法。
【発明の詳細な説明】
【０００１】
【発明の属する技術分野】
本発明は、光学式ビデオディスク、コンパクトディスク、光磁気ディスク等の光記録媒体のデータの読出し・書込みに使用される光ピックアップの光軸を調整する光ピックアップの調整方法に関するものである。
【０００２】
【従来の技術】
以下に従来の光ピックアップ用アクチュエータを図１７、図１８に基づいて説明する。図１７は従来の光ピックアップの平面図、図１８は図１７の光ピックアップのＣ−Ｃ線及びＤ−Ｄ線の各断面図である。
【０００３】
図１７及び図１８において、１は対物レンズ保持筒で、情報を記録されたディスク盤２にレーザ３を集光するための対物レンズ４が接着等の手段によって固定されている。また、対物レンズ保持筒１にはフォーカス方向とトラッキング方向に動作するためのフォーカスコイル５、トラッキングコイル６が接着等の手段によって固定されている。７ａ、７ｂは対物レンズ保持筒１をフォーカス方向及びトラッキング方向に駆動するための磁気回路を構成する永久磁石であって、対物レンズ４側にＮ極、反対側にＳ極が着磁されている。情報を記録されたディスク盤２は、図示しないスピンドルモータ等によって回転する。８は対物レンズ保持筒１を中立位置に保持する導電性の線状弾性部材で、フォーカスコイル５及びトラッキングコイル６に電力を供給している。また、永久磁石７ａ、７ｂによって磁気吸引力が働かないように非磁性の弾性部材である。９は対物レンズ保持筒１の両サイドに接着等の手段によって取り付けられているバネ基板であって、フォーカスコイル５とトラッキングコイル６とに線状弾性部材８より電力を供給するための中継基板であり、各々の線が個々の線状弾性部材８に導電するように一端を半田付け等によって接続されている。１０は一端に電力を供給するための（図示しない）が接着等の手段によって固定されており、線状弾性部材８でかつバネ基板９とは反対側を半田付けによって固定されているサスペンションホルダーである。
【０００４】
また、サスペンションホルダー１０は対物レンズのスキュー調整と永久磁石のヨークとしての役目を果たすスキュー調整部材１７０に固定されている。スキュー調整部材１７０は対物レンズ４を中心とした球面を対物レンズ４の下面に配設されており、ディスク盤２の内周から外周まで移動可能なキャリッジ１１に一部は接着剤１８等を介して、その他の２ケ所でビス１９等の手段によって仮固定されている。この２ヶ所のビス１９を各々別々に締めたり緩めたりすることでキャリッジ１１とスキュー調整部材１７０が接触している球面部で対物レンズ４を中心にスキュー調整できるようになっている。１２は対物レンズ保持筒１を含めたアクチュエータと線状弾性部材８とで構成される系で発生する線状弾性部材８の一次共振のＱ値を抑えるためにダンピング部材としてシリコンゲル等の低粘土の材料である。
【０００５】
以上のように構成された光ピックアップ用アクチュエータについてその動作について説明する。まず図示しない電源からＦＰＣに電流を供給し、線状弾性部材８及びバネ基板９を介してフォーカスコイル５及びトラッキングコイル６に電流が供給される。フォーカスコイル５及びトラッキングコイル６に電流を流すことによって、永久磁石７から出ている磁力を受け、フレミングの左手の法則でそれぞれフォーカスコイル５及びトラッキングコイル６が作用し、対物レンズ保持筒１を含めたアクチュエータが駆動される。この各々のコイル５、６に流れる電流の方向と大きさで、対物レンズ４をディスク盤２に常時焦点が合いかつ追従するように制御している。次に電流の供給を停止すると、線状弾性部材８のバネ力でフォーカス方向及びトラッキング方向に対し常に中立位置に戻るようになっている。１３はレーザ光３の発光素子と受光素子をもった光学ユニットであって、光学ユニット１３から発光されたレーザ光３はホログラムを構成した光学部品１３ａを通り、多層膜コーティングされた立ち上げミラー１４の表面で完全反射し、対物レンズ４によって集光され、ディスク盤２に光学スポットを結ぶ。また、ディスク盤２から反射したレーザ光３は逆に立ち上げミラー１４で反射し、ホログラムを構成した光学部品１３ａを通過し、図示しない受光素子に集光される。受光素子に集光された光学的情報を基に、対物レンズ４をディスク盤２に常時焦点が合い、かつ追従するように制御している。
【０００６】
次に、以上のような光ピックアップ用アクチュエータの変位時の接触について説明する。
【０００７】
まずトラッキング方向に光ピックアップ用アクチュエータが変位したときは、対物レンズ保持筒１とスキュー調整部材１７０とが接触する。光ピックアップ用アクチュエータの重心は、駆動中心と一致させるように、コイル部Ｇに設計されているため、回転半径ｒを有した回転モーメントが発生する。従って、アクセスの高速化等でキャリッジ１１を高速でシークさせる際、慣性力で光ピックアップ用アクチュエータはキャリッジ１１に対し変位し、メカニカル的に接触すめために回転モーメントが光ピックアップ用アクチュエータに発生し、フォーカス制御外れ等が発生するためメカニカル的に接触しない速度でキャリッジ１１をシークさせる必要がある。
【０００８】
【発明が解決しようとする課題】
しかしながら上記従来の構成の光ピックアップ用アクチュエータにおいては、ディスク盤２、アクチュエータ可動部、スキュー調整機構１７０及びキャリッジ１１が厚み方向に構成され、更なる薄型化は困難であった。
【０００９】
本発明は上記従来の問題点を解決するものであって、薄型化が容易にできると共に量産性を向上させる光ピックアップの調整方法を提供するものである。
【００１０】
【課題を解決するための手段】
この目的を達成するために本発明の光ピックアップの調整方法は、光ピックアップのスキュー調整を行なうスキュー調整機構を光ピックアップとは別体として形成し、このスキュー調整機構を光ピックアップに固定支持してスキュー調整を行なった後に、光ピックアップから固定手段を離脱させるようにしているので、光ピックアップは量産性に富み、部品点数の削減により、低コスト、薄型化、軽量化、小型化ができる。
【００１１】
【発明の実施の形態】
請求項１に記載の発明は、レーザ光を光記録媒体の記録面に集光投射させる対物レンズと、前記対物レンズを接着して前記光記録媒体に対しフォーカス方向及びトラッキング方向に移動可能な対物レンズ保持筒と、前記対物レンズ保持筒を２方向に駆動するフォーカスコイル及びトラッキングコイルを有するアクチュエータとを備える光ピックアップの調整方法であって、前記光記録媒体に対する前記対物レンズの光軸を調整するスキュー調整機構を前記光ピックアップとは別体に形成し、当該スキュー調整機構が光ピックアップを固定支持する固定手段を備え、当該固定手段で光ピックアップを固定支持した状態でスキュー調整機構が対物レンズの光軸を調整し、当該光軸の調整後に固定手段による光ピックアップの固定支持を解除して光ピックアップから前記固定手段を離脱させるものであり、スキュー調整後には不用となるスキュー調整機構を光ピックアップとは離反・分離させることができることとなり、光ピックアップ自体を薄型化、軽量化且つ小型化できる。
【００１２】
以下に本発明の一実施の形態について、図面を参照しながら説明する。
図１は本発明の一実施の形態における光ピックアップの平面図を示すものである。また図２は図１の光ピックアップのＡ−Ａ線及びＢ−Ｂ線の断面図を示す。図１及び図２において、１は対物レンズ保持筒で、情報を記録されたディスク盤２にレーザ３を集光するための対物レンズ４が接着等の手段によって固定されている。また、対物レンズ保持筒１にはフォーカス方向とトラッキング方向に動作するためのフォーカスコイル５、トラッキングコイル６が接着等の手段によって固定されている。７ａ、７ｂは対物レンズ保持筒１をフォーカス方向及びトラッキング方向に駆動するための磁気回路を構成する永久磁石であって、対物レンズ４側にＮ極、反対側にＳ極が着磁されている。情報を記録されたディスク盤２は、図示しないスピンドルモータ等によって回転する。８は対物レンズ保持筒１を中立位置に保持する導電性の線状弾性部材であって、フォーカスコイル５及びトラッキングコイル６に電力を供給している。また、永久磁石７ａ、７ｂによって磁気吸引力が働かないように非磁性の弾性部材である。９は対物レンズ保持筒１の両サイドに接着等の手段によって取り付けられているバネ基板であって、フォーカスコイル５とトラッキングコイル６とに線状弾性部材８より電力を供給するための中継基板であり、各々の線が個々の線状弾性部材８に導電するように一端を半田付け等によって接続されている。１０は一端に電力を供給するためのＦＰＣ（図示省略）が接着等の手段によって固定されており、線状弾性部材８でかつバネ基板９とは反対側を半田付けによって固定されているサスペンションホルダーである。また、サスペンションホルダー１０には、調整取付孔１０ａ、１０ｂが開けられており、後述する光学調整機構１７によって、対物レンズ４のスキュー調整用に使用される。また、サスペンションホルダー１０は、ディスク盤２の内周から外周まで記録された情報を読み取るために、ディスク盤２の内周から外周まで移動可能なキャリッジ１１に接着等の手段によって固定されている。１２は対物レンズ保持筒１を含めたアクチュエータ可動部と線状弾性部材８とで構成される系で発生する線状弾性部材８の一次共振のＱ値を抑えるためにダンピング部材としてシリコンゲル等の低粘土の材料である。
【００１３】
図３は図１の調整取付孔１０ａ、１０ｂを通るＸ軸方向の断面図、図４は図１の調整孔１０ａを通るＹ軸方向の断面図である。両面において、光学調整機構１７は、前記光ピックアップのサスペンションホルダー１０に形成される調整取付孔１０ａ、１０ｂに固定取付けるために昇降移動の調整を行なう昇降治具１６と、この昇降治具１６に固着され、前記光ピックアップの対物レンズ４の光心Ｏを中心としてディスク盤２のトラック方向に対してラジアル方向（座標軸ではＸ軸方向）に対する角度φ及びタンジェンシャル方向（座標軸ではＹ軸方向）に対する角度θを調整する回動治具１５とを備え、前記光ピックアップとは別体として構成される。
【００１４】
前記昇降治具１６は、前記サスペンションホルダー１０の調整取付孔１０ａ、１０ｂに挿通される調整治具用ピン１６ａ、１６ｂが上側面に取付けられる昇降基板１６ｃと、この昇降基板１６ｃの下側面側に配設される固定基板１６ｄと、この固定基板１６ｄの側面に回動自在に軸支され、略円弧状の端面を昇降基板１６ｃの下側面に当接させて回動に伴って昇降基板１６ｃを上昇又は下降させるカム１６ｅとを備える構成である。前記回動治具１５は、光学調整機構１７を光ピックアップのサスペンションホルダー１０に装着した場合における光ピックアップの対物レンズ４における光心Ｏを中心としてラジアル方向（Ｘ軸方向）に半径Ｒ１の円弧面とする上面で形成されるＸ軸固定基板１５ｂと、このＸ軸固定基板１５ｂの円弧面に摺接し、この円弧面上を摺動（φ方向）するＸ軸回動基板１５ａと、前記対物レンズ４における光心Ｏを中心としてタンジェンシャル方向（Ｙ軸方向）に半径Ｒ２の円弧面とする上面で形成されるＹ軸固定基板１５ｄと、このＹ軸固定基板１５ｄの円弧面に下面が摺接すると共に上面がＸ軸固定基板１５ｂに固着され、この円弧面上を摺動（θ方向）するＹ軸回動基板１５ｃとを備える構成である。
【００１５】
次に、光ピックアップの組み立て及び対物レンズのスキュー調整動作を図１ないし図１６を用いて、４本の弾性部材８で保持されるタイプの光ピックアップを例として説明する。
【００１６】
図５は調整治具用ピン１６ａ、１６ｂを挿通する過程を表わすＸ軸方向断面図、図６は調整治具用ピン１６ａ、１６ｂを挿通した状態を表わすＸ軸方向断面図、図７は図６のＹ軸方向断面図である。
【００１７】
まず、対物レンズ保持筒１を含めた可動部とサスペンションホルダーとを弾性部材８を介して半田付け等によって組み立てられ、図１ないし図３に示すようなアクチュエータ部が組み立てられる。一方、キャリッジ１１には立ち上げミラー１４と光学ユニット１３が取り付けられたキャリッジ１１と前述したアクチュエータ部を挿入しておく。次に光学調整動作について説明する。
【００１８】
まず、キャリッジ１１に対して仮の位置決めを行うためにサスペンションホルダー１０を下方に抑え位置決めを行う。この位置決めされた状態のサスペンションホルダー１０を光学調整機構１７の上方に図３及び図４に示すように位置させる。この状態で図５（ａ）に示す位置からカム１６ｅを矢印Ａの方向に回動させて昇降基板１６ｃを矢印Ｂ方向に上昇させる。この昇降基板１６ｃの上昇により調整治具用ピン１６ａ、１６ｂは図５（ｂ）に示すように、キャリッジ１１の挿通孔１１ａ、１１ｂを介してサスペンションホルダー１０の調整取付孔１０ａ、１０ｂに挿通される。この調整治具用ピン１６ａ、１６ｂが挿通されたＸ軸方向の断面状態を図６に、Ｙ軸方向の断面状態を図７に示す。
【００１９】
図８は、サスペンションホルダー１０と光学調整機構１７とを固定一体化する過程を表わすＸ軸方向断面図であり、図９、１０はＹ軸方向のスキュー調整を行う過程を表わす図である。図８において、この調整治具用ピン１６ａ、１６ｂを調整取付孔１０ａ、１０ｂに挿通した状態で、図８に示すように、前記調整治具用ピン１６ｂを矢印Ｃ方向へ移動させて二つの調整治具用ピン１６ａ、１６ｂでサスペンションホルダー１０を挾持してサスペンションホルダー１０と光学調整機構１７を固定一体化する。この固定一体化された状態でディスク盤２にフォーカス及びトラッキングの各制御を行なうことにより光学ユニット１３から得られる信号に基づいてＹ軸回動基板１５ｃをθ方向へ図９又は図１０に示すように対物レンズ４の光心Ｏを中心とする半径Ｒ２で最良の光学ポイントが得られる所定角度だけ回動させて、Ｙ軸方向のスキュー調整を行う。
【００２０】
図１１、１２は、Ｘ軸方向のスキュー調整を行う過程を表わす図である。
このＹ軸方向（タンジェンシャル方向）へのスキュー調整が完了すると前記θ方向のスキュー調整と同様にディスク盤２にフォーカス及びトラッキングの各制御を行なうことにより光学ユニット１３から得られる信号に基づいてＸ軸回動基板１５ａをφ方向へ図１１又は図１２に示すように対物レンズ４の光心Ｏを中心とする半径Ｒ１で所定角度だけ回動させてＸ軸方向のスキュー調整を行う。
【００２１】
図１３は、接着剤充填過程を表わす図、図１４は固定一体化する過程を表わす図である。図１３において、このようにθ方向及びφ方向へ所定角度だけ回動させてスキュー調整を行なった後に、この状態を保持するために接着剤１８を図１３に示すように充填介装する。この接着剤１８でスキュー調整後のサスペンションホルダー１０とキャリッジ１１との関係を保持させ、接着剤１８の硬化後、図１４に示すように調整治具用ピン１６ｂを矢印Ｄ方向へ移動させることによりサスペンションホルダー１０と二つの調整治具用ピン１６ａ、１６ｂとの固定一体化を解除する。
【００２２】
図１５は調整治具用ピン１６ａ、１６ｂを抜き取る過程を表わすＸ軸方向断面図、図１６は図１５のＹ軸方向断面図である。
【００２３】
この固定一体化が解除された調整治具用ピン１６ａ、１６ｂは、図１４に示すようにカム１６ｅを矢印Ｅ方向へ回動させることにより、図１５、１６に示すように昇降基板１６ｃを矢印Ｆ方向へ下降させてキャリッジ１１の挿通孔１１ａ、１１ｂから抜き取る。
【００２４】
以上のように構成された光ピックアップ用アクチュエータについてその動作について説明する。まず図示しない電源からＦＰＣに電流を供給し、線状弾性部材８及びバネ基板９を介してフォーカスコイル５及びトラッキングコイル６に電流が供給される。フォーカスコイル５及びトラッキングコイル６に電流を流すことによって、永久磁石７ａ、７ｂから出ている磁力を受け、フレミングの左手の法則でそれぞれフォーカスコイル５及びトラッキングコイル６が作用し、対物レンズ保持筒１を含めたアクチュエータ可動部が駆動される。この各々のコイル５、６に流れる電流の方向と大きさで、対物レンズ４をディスク盤２に常時焦点が合いかつ追従するように制御している。次に電流の供給を停止すると、線状弾性部材８のバネ力でフォーカス方向及びトラッキング方向に対し常に中立位置に戻るようになっている。１３はレーザ光３の発光素子と受光素子をもった光学ユニットであって、光学ユニット１３から発光されたレーザ光３はホログラムを構成した光学部品１３ａを通り、多層膜コーティングされた立ち上げミラー１４の表面で完全反射し、対物レンズ４によって集光され、ディスク盤２に光学スポットを結ぶ。また、ディスク盤２から反射したレーザ光３は逆に立ち上げミラー１４で反射し、ホログラムを構成した光学部品１３ａを通過し、図示しない受光素子に集光される。受光素子に集光された光学的情報を元に、対物レンズ４をディスク盤２に常時焦点が合い、かつ追従するように制御している。
【００２５】
【発明の効果】
以上のように本発明は、光ピックアップのスキュー調整を行なうスキュー調整機構を光ピックアップとは別体として形成し、このスキュー調整機構を光ピックアップに固定支持してスキュー調整を行なった後に、光ピックアップからスキュー調整機構を離脱させるようにしているので、光ピックアップは量産性に富み、部品点数の削減により、低コスト、薄型化、軽量化、小型化ができるという効果を有する。
【図面の簡単な説明】
【図１】本発明の一実施の形態における光ピックアップの平面図
【図２】図１の光ピックアップのＡ−Ａ線及びＢ−Ｂ線の断面図
【図３】図１の調整取付孔を通るＸ軸方向の断面図
【図４】図１の調整孔を通るＹ軸方向の断面図
【図５】調整治具用ピンを挿通する過程を表わすＸ軸方向断面図
【図６】調整治具用ピンを挿通した状態を表わすＸ軸方向断面図
【図７】図６のＹ軸方向断面図
【図８】サスペンションホルダーと光学調整機構とを固定一体化する過程を表わすＸ軸方向断面図
【図９】Ｙ軸方向のスキュー調整を行う過程を表わす図
【図１０】Ｙ軸方向のスキュー調整を行う過程を表わす図
【図１１】Ｘ軸方向のスキュー調整を行う過程を表わす図
【図１２】Ｘ軸方向のスキュー調整を行う過程を表わす図
【図１３】接着剤充填過程を表わす図
【図１４】固定一体化する過程を表わす図
【図１５】調整治具用ピンを抜き取る過程を表わすＸ軸方向断面図
【図１６】図１５のＹ軸方向断面図
【図１７】従来の光ピックアップの平面図
【図１８】図１７の光ピックアップのＣ−Ｃ線及びＤ−Ｄ線の各断面図
【符号の説明】
１  対物レンズ保持筒
４  対物レンズ
１０  サスペンションホルダー
１０ａ、１０ｂ  調整取付孔
１１  キャリッジ
１１ａ、１１ｂ  挿通孔
１３  光学ユニット
１５  回動治具
１５ａ、１５ｃ  回動基板
１５ｂ、１５ｄ  固定基板
１６  昇降治具
１６ａ、１６ｂ  調整治具用ピン
１６ｃ  昇降基板
１６ｄ  固定基板
１６ｅ  カム
１７  光学調整機構
１８  接着剤
２０  コイルバネ
【図１】
0003637696.tif 000002
【図２】
0003637696.tif 000003
【図３】
0003637696.tif 000004
【図４】
0003637696.tif 000005
【図５】
0003637696.tif 000006
【図６】
0003637696.tif 000007
【図７】
0003637696.tif 000008
【図８】
0003637696.tif 000009
【図９】
0003637696.tif 000010
【図１０】
0003637696.tif 000011
【図１１】
0003637696.tif 000012
【図１２】
0003637696.tif 000013
【図１３】
0003637696.tif 000014
【図１４】
0003637696.tif 000015
【図１５】
0003637696.tif 000016
【図１６】
0003637696.tif 000017
【図１７】
0003637696.tif 000018
【図１８】
0003637696.tif 000019